(57)【要約】【課題】冷蔵庫のユーザに安心感を与えることができる技術を提供する。【解決手段】冷蔵庫は、本体と、前記本体に取り付けられている扉と、前記扉の正面部に設けられている表示部と、制御部と、を備えている。前記制御部には防御に関するソフトウェアがインストールされている。前記制御部は、インストールされているソフトウェアを示すアイコンを前記表示部に表示する。【選択図】図１
2020041713.tif 000002
【特許請求の範囲】
【請求項１】
冷蔵庫であって、
本体と、
前記本体に取り付けられている扉と、
前記扉の正面部に設けられている表示部と、
制御部と、を備えており、
前記制御部には防御に関するソフトウェアがインストールされており、
前記制御部は、インストールされている前記ソフトウェアを示すアイコンを前記表示部に表示する、冷蔵庫。
【請求項２】
前記冷蔵庫の周囲の所定範囲内に人が存在することを検知する検知部を更に備えており、
前記制御部は、前記冷蔵庫の周囲の所定範囲内に人が存在することを前記検知部が検知した場合に前記アイコンを前記表示部に表示する、請求項１に記載の冷蔵庫。
【請求項３】
前記制御部は、前記冷蔵庫の電源が入れられたときに前記アイコンを前記表示部の中央部に第１の大きさで表示し、前記冷蔵庫の電源が入れられてから所定時間が経過したときに前記アイコンを前記表示部の端部に前記第１の大きさより小さい第２の大きさで表示する、請求項１または２に記載の冷蔵庫。
【請求項４】
前記制御部は、前記冷蔵庫の電源が入れられたときに前記アイコンを前記表示部の全体に所定時間表示する、請求項１から３のいずれかに記載の冷蔵庫。
【請求項５】
前記制御部は、外部ネットワークに通信可能な状態で接続されている場合は前記アイコンを第１の態様で前記表示部に表示し、外部ネットワークに通信可能な状態で接続されていない場合は前記アイコンを前記第１の態様と異なる第２の態様で前記表示部に表示する、請求項１から４のいずれかに記載の冷蔵庫。
【請求項６】
前記制御部は、前記アイコンが前記表示部に表示された後にそれが徐々に消えてゆく態様で前記アイコンを前記表示部に表示する、請求項１から５のいずれかに記載の冷蔵庫。
【請求項７】
前記制御部は、外部ネットワークに通信可能な状態で接続されているときに外部ネットワークを介してアクセスされた場合であって、その後に前記表示部に表示されている前記アイコンがタッチされた場合は、アクセスされたこと示す情報を前記表示部に表示する、請求項１から６のいずれかに記載の冷蔵庫。
【請求項８】
前記制御部は、外部ネットワークに通信可能な状態で接続されているときに外部ネットワークを介して不正にアクセスされた場合は、前記アイコンを点滅させた状態で前記表示部に表示する、請求項１から７のいずれかに記載の冷蔵庫。
【発明の詳細な説明】
【技術分野】
【０００１】
本明細書に開示する技術は、冷蔵庫に関する。
【背景技術】
【０００２】
特許文献１に冷蔵庫が開示されている。特許文献１の冷蔵庫は、本体と、本体に取り付けられている扉と、扉の正面部に設けられている表示部とを備えている。冷蔵庫の表示部にはアイコンが表示される。
【先行技術文献】
【特許文献】
【０００３】
【特許文献１】特開２０１４−２０７４３号公報
【発明の概要】
【発明が解決しようとする課題】
【０００４】
近年の冷蔵庫は、様々な情報処理を実行するための制御部を備えていることがある。冷蔵庫の制御部には、情報処理を実行するためのソフトウェアがインストールされている。このような冷蔵庫では、例えば不正なコンピューターウィルスが制御部に侵入すると、制御部における情報処理に異常が生じ、冷蔵庫の動作に異常が生じることがあり得る。また、例えば不正なマルウェアが制御部にインストールされることによって冷蔵庫の動作に異常が生じることがあり得る。このような事態が生じると、冷蔵庫のユーザが冷蔵庫を安心して使用できなくなる。そこで本明細書は、冷蔵庫のユーザに安心感を与えることができる技術を提供する。
【課題を解決するための手段】
【０００５】
本明細書に開示する冷蔵庫は、本体と、前記本体に取り付けられている扉と、前記扉の正面部に設けられている表示部と、制御部と、を備えている。前記制御部には防御に関するソフトウェアがインストールされている。前記制御部は、インストールされているソフトウェアを示すアイコンを前記表示部に表示する。
【図面の簡単な説明】
【０００６】
【図１】実施例に係る冷蔵庫の正面図である。
【図２】アイコンの表示態様の一例である（１）。
【図３】アイコンの表示態様の一例である（２）。
【図４】アイコンの表示態様の一例である（３）。
【図５】アイコンの表示態様の一例である（４）。
【図６】アイコンの表示態様の一例である（５）。
【発明を実施するための形態】
【０００７】
実施例に係る冷蔵庫１について図面を参照して説明する。図１に示すように、実施例に係る冷蔵庫１は、本体１１と、複数の扉１２とを備えている。また、冷蔵庫１は、検知部２３と、表示部２２と、制御部２１とを備えている。
【０００８】
冷蔵庫１の本体１１は、複数の収容室を備えている。例えば、本体１１は、冷蔵室１１１と、冷凍室１１２と、野菜室１１３とを備えている。本体１１は、各収容室（例えば、冷蔵室１１１、冷凍室１１２、野菜室１１３）に収容されている物（例えば、食品）を冷却する。
【０００９】
複数の扉１２は、冷蔵庫１の本体１１に取り付けられている。各扉１２は、本体１１の各収容室に対して開閉可能に構成されている。複数の扉１２は、例えば、冷蔵室１１１の扉１２１、冷凍室１１２の扉１２２、野菜室１１３の扉１２３等である。
【００１０】
検知部２３は、例えば人感センサーやカメラ等である。検知部２３は、例えば冷蔵室１１１の扉１２１に取り付けられている。この検知部２３は、冷蔵庫１の周囲の所定範囲内（例えば、冷蔵庫１から半径１ｍの範囲内）に人が存在することを検知することができる。例えば、冷蔵庫１のユーザが冷蔵庫１の周囲の所定範囲内を通過すると、そのユーザを検知部２３が検知する。検知部２３が人を検知すると、検知部２３から制御部２１に検知信号が送信される。
【００１１】
表示部２２は、例えば液晶パネルである。また、表示部２２は、図示省略する操作部と共にタッチパネルとして構成されていてもよい。表示部２２は、例えば冷蔵室１１１の扉１２１の正面に設けられている。この表示部２２は、冷蔵庫１に関する様々な情報を表示することができる。例えば、表示部２２は、本体１１の各収容室に収容されている食品の情報を表示することができる。また、表示部２２には、温度操作部２５が表示されている。冷蔵庫１のユーザが温度操作部２５をタッチ操作することによって、冷蔵庫１の庫内の温度を調整することができる。また、表示部２２には時計が表示されていてもよい。
【００１２】
制御部２１は、例えばＣＰＵ、メモリ、及び通信インターフェースを備えている（図示省略）。制御部２１は、有線または無線で外部ネットワーク５０に接続されている。外部ネットワーク５０は例えばインターネットである。制御部２１は、例えば無線ＬＡＮを介してインターネットに接続されている。制御部２１は、例えば無線ＬＡＮによる通信が確立されると、インターネットに接続されて外部と通信可能な状態になる。また、制御部２１は、例えば無線ＬＡＮによる通信が切断されると、インターネットから遮断されて外部と通信不能な状態になる。
【００１３】
制御部２１には、各種のソフトウェアがインストールされている。例えば、冷蔵庫１の動作を制御するためのソフトウェアが制御部２１にインストールされている。各種のソフトウェアが制御部２１のメモリに保存されている。
【００１４】
制御部２１には、セキュリティーソフトがインストールされている。セキュリティーソフトは、防御に関するソフトウェアの一例である。セキュリティーソフトは、例えば制御部２１にコンピューターウィルスが侵入することを防ぐことができる。セキュリティーソフトは、例えば制御部２１にコンピューターウィルスが侵入した場合に、侵入したコンピューターウィルスを駆除することができる。また、セキュリティーソフトは、不正なマルウェアが制御部２１にインストールされることを防ぐことができる。セキュリティーソフトは、常駐ソフトであってもよい。制御部２１は、インストールされているセキュリティーソフトのアイコン３１を表示部２２に表示することができる。
【００１５】
次に、制御部２１がセキュリティーソフトのアイコン３１を表示部２２に表示するときの表示態様について説明する。制御部２１は、冷蔵庫１の周囲の所定範囲内に人が存在することを検知部２３が検知した場合にアイコン３１を表示部２２に表示する。例えば、冷蔵庫１のユーザが冷蔵庫１から半径１ｍの範囲内を通過するとそのユーザを検知部２３が検知する。検知部２３が冷蔵庫１のユーザを検知すると検知部２３から制御部２１に検知信号が送信される。制御部２１は、検知部２３から検知信号を受信すると、セキュリティーソフトのアイコン３１を表示部２２に表示する。また、制御部２１は、所定時間（例えば２秒）だけアイコン３１を表示した後に、そのアイコン３１を消灯する。なお、制御部２１は、アイコン３１を表示部２２に表示するときに、表示部２２に表示されている温度操作部２５が隠れないようにアイコン３１を表示する。また、表示部２２に時計が表示されている場合は、制御部２１は、アイコン３１を表示するときに、時計の表示を隠すようにアイコン３１を表示してもよい。
【００１６】
以上、実施例に係る冷蔵庫１について説明した。上記の説明から明らかなように、冷蔵庫１の制御部２１にはセキュリティーソフトがインストールされている。制御部２１は、インストールされているセキュリティーソフトのアイコン３１を表示部２２に表示する。この構成によれば、セキュリティーソフトのアイコン３１が表示部２２に表示されるので、冷蔵庫１を使用するユーザに安心感を与えることができる。
【００１７】
また、上記の冷蔵庫１では、制御部２１が、冷蔵庫１の周囲の所定範囲内に人（例えば冷蔵庫１のユーザ）が存在することを検知部２３が検知した場合に、セキュリティーソフトのアイコン３１を表示部２２に表示する。この構成によれば、セキュリティーソフトのアイコン３１が表示部２２に表示されたことを冷蔵庫１のユーザに認識させることができる。
【００１８】
以上、一実施例について説明したが、具体的な態様は上記実施例に限定されるものではない。以下の説明において、上述の説明における構成と同様の構成については、同一の符号を付して説明を省略する。上記の実施例ではアイコン３１の表示態様の一例を説明したが、アイコン３１の表示態様は上記の実施例に限定されるものではない。冷蔵庫１の制御部２１は、様々な態様でアイコン３１を表示部２２に表示することができる。制御部２１は、様々な表示態様を組み合わせてもよい。
【００１９】
他の実施例では、制御部２１は、冷蔵庫１の電源が入れられたときにアイコン３１を表示してもよい。例えば、冷蔵庫１のユーザが冷蔵庫１の電源を入れたときに、そのタイミングで制御部２１がアイコン３１を表示部２２に表示する。図２に示すように、制御部２１は、冷蔵庫１の電源が入れられたときにアイコン３１を表示部２２の中央部に表示する。そのときに、制御部２１は、アイコン３１を第１の大きさで表示部２２に表示する。例えば、制御部２１は、表示部２２の面積の１／２以上の面積でアイコン３１を表示する。
【００２０】
その後、制御部２１は、図３に示すように、所定時間（例えば２秒）が経過したときにアイコン３１の大きさを変更する。制御部２１は、冷蔵庫１の電源が入れられてから所定時間（例えば２秒）が経過したときにアイコン３１を第２の大きさで表示部２２に表示する。制御部２１は、所定時間（例えば２秒）だけ第１の大きさのアイコン３１を表示し、その後に第２の大きさのアイコン３１を表示する。アイコン３１の第２の大きさは、上記の第１の大きさより小さい。例えば、制御部２１は、表示部２２の面積の１／１０以下の面積でアイコン３１を表示する。制御部２１は、例えば表示部２２の左上あるいは右下の端部にアイコン３１を表示する。制御部２１は、アイコン３１を第１の大きさから第２の大きさに変更するときに、大きさが徐々に小さくなってゆくように段階的に変更してもよい。
【００２１】
この構成によれば、冷蔵庫１の電源が入れられたときに大きいアイコン３１が表示されるので、冷蔵庫１のユーザに注意喚起をすることができる。また、所定時間（例えば２秒）が経過した後には、小さいアイコン３１が表示されるので、表示部２２の画面を他の情報の表示のために使用することができる。
【００２２】
更に他の実施例では、図４に示すように、制御部２１は、アイコン３１を表示部２２の全体に表示してもよい。制御部２１は、冷蔵庫１の電源が入れられたときにアイコン３１を表示部２２の全体に表示する。例えば、制御部２１は、表示部２２の面積の９／１０以上の面積でアイコン３１を表示する。制御部２１は、冷蔵庫１の電源が入れられてから所定時間（例えば２秒）だけアイコン３１を表示する。制御部２１は、所定時間（例えば２秒）が経過した後にアイコン３１を消灯する。制御部２１は、アイコン３１が徐々に消えてゆく態様でアイコン３１を表示する。例えば、制御部２１は、アイコン３１が徐々に薄くなってゆく態様でアイコン３１を表示する。制御部２１は、アイコン３１の明度が段階的に変化してゆく態様でアイコン３１を表示する。
【００２３】
この構成によれば、冷蔵庫１の電源が入れられたときに冷蔵庫１のユーザに注意喚起をすることができる。また、所定時間（例えば２秒）が経過した後には、アイコン３１が消えるので、表示部２２の画面を他の情報の表示のために使用することができる。
【００２４】
更に他の実施例では、制御部２１は、外部ネットワーク５０との接続状態によってアイコン３１の表示態様を変更してもよい。例えば、制御部２１は、外部ネットワーク５０に通信可能な状態で接続されている場合は、赤色（第１の態様の一例）のアイコン３１を表示部２２に表示する。すなわち、制御部２１は、外部ネットワーク５０を介して外部の機器からアクセスされる可能がある場合は、赤色のアイコン３１を表示部２２に表示する。外部の機器は、例えば冷蔵庫１のユーザとは異なる他人のパソコンである。また、制御部２１は、外部ネットワーク５０に通信可能な状態で接続されている場合はアイコン３１を点滅した状態（第１の態様の他の一例）で表示部２２に表示してもよい。
【００２５】
また、制御部２１は、外部ネットワーク５０に通信可能な状態で接続されていない場合は青色（第２の態様の一例）のアイコン３１を表示部２２に表示する。すなわち、制御部２１は、外部ネットワーク５０を介して外部の機器からアクセスされる可能がない場合は、青色のアイコン３１を表示部２２に表示する。また、制御部２１は、外部ネットワーク５０に通信可能な状態で接続されていない場合はアイコン３１を点灯している状態（第２の態様の他の一例）で表示部２２に表示する。
【００２６】
この構成によれば、制御部２１と外部ネットワーク５０との接続状態によってアイコン３１の表示態様が変更されるので、外部の機器からアクセスされる可能がある状態であるか否かを冷蔵庫１のユーザが認識することができる。不正アクセスを防ぐためにユーザに注意喚起をすることができる。
【００２７】
更に他の実施例では、制御部２１は、外部の機器からアクセスされた場合に、そのこと示す情報を表示部２２に表示してもよい。上記の冷蔵庫１では、制御部２１が、外部ネットワーク５０を介して外部の機器からアクセスされることがある。例えば、制御部２１が外部ネットワーク５０に通信可能な状態で接続されているときに、外部の管理サーバ（図示省略）からアクセスされることがある。例えば、管理サーバが、冷蔵庫１のユーザに食品に関する情報を送信するために制御部２１にアクセスすることがある。また、管理サーバが、セキュリティーソフトのアップデートに関する情報を送信するために制御部２１にアクセスすることがある。制御部２１は、外部ネットワーク５０を介して外部の機器からアクセスされた場合であって、その後に表示部２２に表示されているアイコン３１が冷蔵庫１のユーザによってタッチされた場合は、アクセスされたことを示す情報を表示部２２に表示する。例えば、冷蔵庫１のユーザがアイコン３１をタッチすると、制御部２１が、管理サーバから受信した情報を表示する。例えば、図５に示すように、制御部２１は、「管理サーバから食品の賞味期限に関するお知らせを受信しました。」等の情報を表示部２２に表示する。この構成によれば、外部からアクセスがあったことを冷蔵庫１のユーザが認識することができる。
【００２８】
他の実施例では、制御部２１は、外部ネットワーク５０を介して不正にアクセスされた場合は、図６に示すように、アイコン３１を赤色で点滅させた状態で表示部２２に表示する。制御部２１は、外部ネットワーク５０に通信可能な状態で接続されているときに、何者かによって不正にアクセスされることも考えられる。その場合は、制御部２１がアイコン３１を赤色で点滅させた状態で表示する。制御部２１に不正にアクセスされたか否かは、制御部２１にインストールされているセキュリティーソフトに基づいて判断することができる。また、制御部２１は、不正にアクセスされた場合は、アイコン３１の絵柄を変更して表示部２２に表示してもよい。この構成によれば、不正アクセスがあった場合はアイコン３１が点滅するので、不正アクセスがあったことを冷蔵庫１のユーザが認識することができる。
【００２９】
上記の実施例では、防御に関するソフトウェアの一例としてセキュリティーソフトが例示されていたが、この構成に限定されるものではない。防御に関するソフトウェアは、セキュリティーソフトの他に、冷蔵庫１の安全性を確保するためのソフトウェアであってもよい。例えば、防御に関するソフトウェアは、冷蔵庫１のシステムに異常が生じた場合にその異常を解消するソフトウェアであってもよい。また、防御に関するソフトウェアは、例えば情報漏洩を防ぐためのソフトウェアであってもよい。
【００３０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３１】
１：冷蔵庫、１１：本体、１２：扉、２１：制御部、２２：表示部、２３：検知部、２５：温度操作部、３１：アイコン、５０：外部ネットワーク
【図１】
2020041713.tif 000003
【図２】
2020041713.tif 000004
【図３】
2020041713.tif 000005
【図４】
2020041713.tif 000006
【図５】
2020041713.tif 000007
【図６】
2020041713.tif 000008